(57)【要約】【課題】無線ネットワーク機能を有する電子黒板において、セキュリティの向上を図る。【解決手段】使用者が自由に手書きできる描写面１１と、使用者が手書きした文字を読み取ることができるＯＣＲ部１２と、読み取ったデータを無線にて配信できる配信部１７とを備えた電子黒板１において、ＯＣＲ部１２にて読み出された手書き文字から秘密鍵を生成するためのキーワードを抽出するキーワード抽出部１３と、キーワード抽出部１３で抽出されたキーワードをもとに配信部１７で配信する際の秘密鍵を設定する秘密鍵生成部１４を備えた。【選択図】図２
2007324995.tif 000002
【特許請求の範囲】
【請求項１】
使用者が自由に手書きできる描写面と、使用者が手書きした文字を読み取ることができるＯＣＲ部と、読み取ったデータを無線にて配信できる配信部と、を備えた電子黒板において、前記ＯＣＲ部にて読み出された手書き文字から秘密鍵を生成するためのキーワードを抽出するキーワード抽出部と、前記キーワード抽出部で抽出されたキーワードをもとに前記配信部で配信する際の秘密鍵を設定する秘密鍵生成部と、を備えたことを特徴とする電子黒板。
【請求項２】
請求項１に記載の電子黒板において、会議参加者氏名を抽出する会議参加者氏名抽出部を備え、前記秘密鍵生成部は、前記会議参加者氏名抽出部から転送された会議参加者氏名より秘密鍵を設定することを特徴とする電子黒板。
【請求項３】
請求項２に記載の電子黒板において、前記会議参加者氏名抽出部は、会議参加者氏名を前記配信部に転送し、前記配信部は参加者宛てにメールを自動送信することを特徴とする電子黒板。
【請求項４】
請求項１に記載の電子黒板において、前記キーワード抽出部で抽出されたキーワードを表示する抽出キーワード表示部を備えることを特徴とする電子黒板。
【請求項５】
請求項３に記載の電子黒板において、メール送信先を使用者に確認させるメール宛先表示部を備えることを特徴とする電子黒板。
【請求項６】
請求項１乃至５のいずれか一項に記載の電子黒板において、無線のアンテナを上部に移動可能配置したことを特徴とする電子黒板。
【請求項７】
請求項６に記載の電子黒板において、アンテナ位置の調整する操作パネルを備えたことを特徴とする電子黒板。
【請求項８】
請求項１乃至７のいずれか一項に記載の電子黒板において、無線の電波状態を示す電波状態表示部を備えたことを特徴とする電子黒板。
【請求項９】
請求項１乃至８のいずれか一項に記載の電子黒板において、液晶表示機能付きタブレットを備えたことを特徴とする電子黒板。
【請求項１０】
請求項１乃至９のいずれか一項に記載の電子黒板における、キーワード抽出、秘密鍵設定動作を行うためのプログラムを格納したコンピュータ読み取り可能な記録媒体。
【発明の詳細な説明】
【技術分野】
【０００１】
本発明は、無線にて配信する機能を有する電子黒板に関する。
【背景技術】
【０００２】
電子黒板をネットワーク対応にし、自由度を高めるものとして、特許文献１記載の技術が挙げられる。これは、電子黒板に無線機能を搭載し、会議内容（議事録）を無線ネットワークにて配信することを可能となるものである。
一方で、無線での配信はその転送媒体の性質上、セキュリティの観点から、情報漏れや盗聴のリスクにさらされる。無線ネットワーク（ＬＡＮ）ではこの様なリスクに対し、ＩＥＥＥ８０２．１１ｉに代表される暗号を使用する手法で対処している。
【特許文献１】特開平１１−２２０４７８号公報
【発明の開示】
【発明が解決しようとする課題】
【０００３】
しかしながら、暗号化における鍵の管理は使用者に委ねられており、鍵の管理体制（鍵を定期的に変更する等の鍵運用）がとられていない場合、特に悪意ある第三者に鍵を見破られ、盗聴される危険がある。ましてや、電子黒板はオフィス環境で使用され、それより発信される情報は議事録等、悪意ある第三者に知られると悪用される可能性も否定できない。
そこで、本発明は、無線ネットワーク機能を有する電子黒板において、セキュリティの向上を図ることを目的とする。
【課題を解決するための手段】
【０００４】
上記目的を達成するために、請求項１記載の発明は、使用者が自由に手書きできる描写面と、使用者が手書きした文字を読み取ることができるＯＣＲ部と、読み取ったデータを無線にて配信できる配信部とを備えた電子黒板において、ＯＣＲ部にて読み出された手書き文字から秘密鍵を生成するためのキーワードを抽出するキーワード抽出部と、キーワード抽出部で抽出されたキーワードをもとに配信部で配信する際の秘密鍵を設定する秘密鍵生成部を備えた電子黒板を特徴とする。
請求項２記載の発明は、請求項１の電子黒板において、会議参加者氏名を抽出する会議参加者氏名抽出部を備え、秘密鍵生成部は、会議参加者氏名抽出部から転送された会議参加者氏名より秘密鍵を設定する電子黒板を特徴とする。
【０００５】
請求項３記載の発明は、請求項２の電子黒板において、会議参加者氏名抽出部は、会議参加者氏名を配信部に転送し、配信部は参加者宛てにメールを自動送信する電子黒板を特徴とする。
請求項４記載の発明は、請求項１の電子黒板において、キーワード抽出部で抽出されたキーワードを表示する抽出キーワード表示部を備える電子黒板を特徴とする。
請求項５記載の発明は、請求項３の電子黒板において、メール送信先を使用者に確認させるメール宛先表示部を備える電子黒板を特徴とする。
【０００６】
請求項６記載の発明は、請求項１乃至５のいずれかの電子黒板において、無線のアンテナを上部に移動可能配置した電子黒板を特徴とする。
請求項７記載の発明は、請求項６の電子黒板において、アンテナ位置の調整する操作パネルを備えた電子黒板を特徴とする。
請求項８記載の発明は、請求項１乃至７のいずれかの電子黒板において、無線の電波状態を示す電波状態表示部を備えた電子黒板を特徴とする。
【０００７】
請求項９記載の発明は、請求項１乃至８のいずれかの電子黒板において、液晶表示機能付きタブレットを備えた電子黒板を特徴とする。
請求項１０記載の発明は、請求項１乃至９のいずれかの電子黒板における、キーワード抽出、秘密鍵設定動作を行うためのプログラムを格納したコンピュータ読み取り可能な記録媒体を特徴とする。
【発明の効果】
【０００８】
本発明によれば、キーワード抽出手段において、ＯＣＲ部にて読み出された手書き文字から秘密鍵を生成することで、その場に居ない悪意ある第三者等が秘密鍵を知り得ることができないので、セキュリティの向上を図ることができる。また、秘密鍵は、その都度、変更され続けるのでこの点からもセキュリティの向上を図ることができる。
【発明を実施するための最良の形態】
【０００９】
以下、本発明の実施例を図面に従って説明する。
図１は本発明の電子黒板が使用される環境を示す図である。本発明の電子黒板１は、無線ネットワークにて会議の議事録を配信する機能（メール配信）を有する。無線にて会議の議事録を配信した場合、悪意ある第三者であれば、容易に盗聴することが可能である。
ここで、悪意ある第三者は電子黒板１がある特定の部屋（会議室）の外部にいるはずである（会議室内部にいれば無線を盗聴する必要はないため）。従って、議事録の内容はメール配信される前に知ることはできない。この前提のもとに本発明の電子黒板は構成されている。
【実施例１】
【００１０】
図２は本発明の実施例１に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するためのキーワードを抽出するキーワード抽出部１３、キーワード抽出部１３により抽出されたキーワードより、ハッシュ関数を用いて秘密鍵を生成する秘密鍵生成部１４を備える。
また同様に、メール配信対象者全員が登録されているメールアドレスデータベース１５、ＯＣＲ部１２から読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９を備える。
【００１１】
次にその動作を説明する。使用者は描写面１１にマーカーなどで自由に議事録を書く。議事録を配信したい場合、電子黒板１に設置されている所定のスイッチを押し、ＯＣＲ部１２を起動して議事録内容を読み込ませる。ＯＣＲ部１２で読み込まれたデータはキーワード抽出部１３と暗号化部１６に送られる。
キーワード抽出部１３は送られてきたデータの内容より鍵生成を行うためのキーワードを抽出する。会議の議事録は通常、図３に示されるようなフォーマットとなっていることが多い。図３の例では、会議名称、会議の日時、参加者と言う会議の基本情報が描写面１１の上に存在している。
【００１２】
本実施例では、キーワード抽出部１３は会議名称を抽出することにする。キーワード抽出部１３より抽出されたキーワード（会議名称）は秘密鍵生成部１４に送られ、ここでハッシュ関数を用いて秘密鍵を生成する。一方、ＯＣＲ部１２より暗号化部１６に送られた議事録内容データは、秘密鍵生成部１４で生成された秘密鍵により暗号化が施される。
暗号化された議事録内容データは配信部１７に送られ、配信部１７で、メールアドレスデータベース１５よりメール配信先を確認し、メールの送信を無線変復調部１８に依頼する。無線変復調部１８はアンテナ１９よりメールの配信を行う。受信側の端末に配信された議事録は、会議名称から鍵を生成し復号すればよい。
このように、配信された議事録は「会議名称」が秘密鍵になっているため、会議参加者（利用者）は会議名称さえ覚えていれば、暗号の復号を行うことができ、かつ鍵は常に使用者の管理なしで変更され続けるのである。さらに、会議室内に存在しない悪意ある第三者は会議に参加していないため、会議名称（秘密鍵）が分からず、盗聴することができない。
【実施例２】
【００１３】
図４は本発明の実施例２に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するための会議参加者氏名を抽出する会議参加者氏名抽出部２１、会議参加者氏名抽出部２１により抽出された参加者氏名より、ハッシュ関数を用いて秘密鍵を生成する秘密鍵生成部１４を備える。
また同様に、メール配信対象者全員が登録されているメールアドレスデータベース１５、ＯＣＲ部から１２読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９を備える。
【００１４】
本実施例で、使用者は描写面１１にマーカーなどで自由に議事録を書く。議事録を配信したい場合、電子黒板１に設置されている所定のスイッチを押し、ＯＣＲ部１２を起動し、議事録内容を読み込ませる。ＯＣＲ部１２で読み込まれたデータは会議参加者氏名抽出部２１と暗号化部１６に送られる。
会議参加者氏名抽出部２１は送られてきたデータの内容より会議参加者を認識し、参加者のリストデータを秘密鍵生成部１４に転送する。秘密鍵生成部１４は、参加者リストデータよりハッシュ関数を用いて秘密鍵を生成する。一方、ＯＣＲ部１２より暗号化部１６に送られた議事録内容データは秘密鍵生成部１４で生成された秘密鍵により暗号化が施される。
【００１５】
暗号化された議事録内容データは配信部１７に送られ、配信部１７で、メールアドレスデータベース１５よりメール配信先を確認し、メールの送信を無線変復調部１８に依頼する。無線変復調部１８はアンテナ１９よりメールの配信を行う。受信側の端末に配信された議事録は、会議参加者氏名から鍵を生成し復号すればよい。
このように、配信された議事録は「会議参加者氏名」が秘密鍵になっているため、会議参加者（利用者）は参加者の氏名さえ覚えていれば、暗号の復号を行うことができ、かつ鍵は常に使用者の管理なしで変更され続けるのである。さらに、会議室内に存在しない悪意ある第三者は会議に参加していないため、参加者（秘密鍵）が分からず、盗聴することができない。
【実施例３】
【００１６】
図５は本発明の実施例３に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するための会議参加者氏名を抽出する会議参加者氏名抽出部２１、会議参加者氏名抽出部２１により抽出された参加者氏名より、ハッシュ関数を用いて秘密鍵を生成する秘密鍵生成部１４を備える。
また同様に、メール配信対象者全員が登録されているメールアドレスデータベース１５、ＯＣＲ部１２から読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９を備える。
【００１７】
本実施例で、使用者は描写面１１にマーカーなどで自由に議事録を書く。議事録を配信したい場合、電子黒板１に設置されている所定のスイッチを押し、ＯＣＲ部１２を起動し議事録内容を読み込ませる。ＯＣＲ部１２で読み込まれたデータは会議参加者氏名抽出部２１と暗号化部１６に送られる。
会議参加者氏名抽出部２１は、送られてきたデータの内容より会議参加者を認識し、参加者のリストデータを秘密鍵生成部１４と配信部１７に転送する。秘密鍵生成部１４は、参加者リストデータよりハッシュ関数を用いて秘密鍵を生成する。一方、ＯＣＲ部１２より暗号化部１６に送られた議事録内容データは秘密鍵生成部１４で生成された秘密鍵により暗号化が施される。
【００１８】
暗号化された議事録内容データは配信部１７に送られる。配信部１７は、会議参加者氏名抽出部２１により送られてきた参加者リストデータに該当するメールアドレスをメールアドレスデータベース１５より検索し、配信先を設定し、暗号化された議事録内容の送信を無線変復調部１８に依頼する。無線変復調部１８はアンテナ１９よりメールの配信を行う。受信側の端末に配信された議事録は、会議参加者氏名から鍵を生成し復号すればよい。
このように、配信された議事録が「会議参加者氏名」が秘密鍵になっているため、会議参加者（利用者）は参加者の氏名さえ覚えていれば、暗号の復号を行うことができ、かつ鍵は常に使用者の管理なしで変更され続けるのである。さらに、会議室内に存在しない悪意ある第三者は会議に参加していないため、参加者（秘密鍵）が分からず、盗聴することができない。
【実施例４】
【００１９】
図６は本発明の実施例４に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するためのキーワードを抽出するキーワード抽出部１３、キーワード抽出部１３により抽出されたキーワードより、ハッシュ関数を用いて秘密鍵を生成する秘密鍵生成部１４を備える。
また同様に、メール配信対象者全員が登録されているメールアドレスデータベース１５、ＯＣＲ部１２から読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９、キーワード抽出部１３で抽出されたキーワードを表示する抽出キーワード表示部２２を備える。
【００２０】
本実施例で、使用者は描写面１１にマーカーなどで自由に議事録を書く。議事録を配信したい場合、電子黒板１に設置されている所定のスイッチを押し、ＯＣＲ部１２を起動し、議事録内容を読み込ませる。ＯＣＲ部１２で読み込まれたデータはキーワード抽出部１３と暗号化部１６に送られる。
キーワード抽出部１は、送られてきたデータの内容より鍵生成を行うためのキーワードを抽出する。本実施例のキーワード抽出部１３は会議名称を抽出する。キーワード抽出部１３より抽出されたキーワード（会議名称）は抽出キーワード表示部２２で使用者に提示されると同時に、秘密鍵生成部１４に送られ、ハッシュ関数を用いて秘密鍵を生成する。一方、ＯＣＲ部１２より暗号化部１６に送られた議事録内容データは秘密鍵生成部１４で生成された秘密鍵により暗号化が施される。
【００２１】
暗号化された議事録内容データは配信部１７に送られ、配信部１７でメールアドレスデータベース１５よりメール配信先を確認し、メールの送信を無線変復調部１８に依頼する。無線変復調部１８はアンテナ９よりメールの配信を行う。受信側の端末に配信された議事録は、会議名称から鍵を生成し復号すればよい。
このように、配信された議事録が「会議名称」が秘密鍵になっているため、会議参加者（利用者）は会議名称さえ覚えていれば、暗号の復号を行うことができ、かつ鍵は常に使用者の管理なしで変更され続けるのである。さらに、会議室内に存在しない悪意ある第三者は会議に参加していないため、会議名称（秘密鍵）が分からず、盗聴することができない。
【実施例５】
【００２２】
図７は本発明の実施例５に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するための会議参加者氏名を抽出する会議参加者氏名抽出部２１、会議参加者氏名抽出部２１により抽出された参加者氏名より、ハッシュ関数を用いて秘密鍵を生成する秘密鍵生成部１４を備える。
また同様に、メール配信対象者全員が登録されているメールアドレスデータベース１５、ＯＣＲ部１２から読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９、参加者氏名リストデータよりメール送信先として設定された宛先を表示するメール宛先表示部２３を備える。
【００２３】
本実施例で、使用者は描写面１１にマーカーなどで自由に議事録を書く。議事録を配信したい場合、電子黒板１に設置されている所定のスイッチを押し、ＯＣＲ部１２を起動し議事録内容を読み込ませる。ＯＣＲ部１２で読み込まれたデータは会議参加者氏名抽出部２１と暗号化部１６に送られる。
会議参加者氏名抽出部２１は送られてきたデータの内容より会議参加者を認識し、参加者のリストデータを秘密鍵生成部１４と配信部１７に転送する。秘密鍵生成部１４は、参加者リストデータよりハッシュ関数を用いて秘密鍵を生成する。一方、ＯＣＲ部１２より暗号化部１６に送られた議事録内容データは秘密鍵生成部１４で生成された秘密鍵により暗号化される。
【００２４】
暗号化された議事録内容データは配信部１７に送られる。配信部１７は、会議参加者氏名抽出部２１より送られてきた参加者リストデータに該当するメールアドレスをメールアドレスデータベース１５より検索し、配信先を設定し宛先をメール宛先表示部２３に表示すると同時に、暗号化された議事録内容の送信を無線変復調部１８に依頼する。無線変復調部１８はアンテナ１９よりメールの配信を行う。受信側の端末に配信された議事録は、会議参加者氏名から鍵を生成し復号すればよい。
このように、配信された議事録が「会議参加者氏名」が秘密鍵になっているため、会議参加者（利用者）は参加者の氏名さえ覚えていれば、暗号の復号を行うことができ、かつ鍵は常に使用者の管理なしで変更され続けるのである。さらに、会議室内に存在しない悪意ある第三者は会議に参加していないため、参加者（秘密鍵）が分からず、盗聴することができない。
【実施例６】
【００２５】
実施例６の構成は図７に示す実施例５と同様である。ただし、配信部１７にて参加者リストデータをもとにメールアドレスデータベース１５の検索を行った結果、同姓のデータがあった場合、メール宛先表示部２３に同姓のデータがあることを表示するものである。
【実施例７】
【００２６】
図８は本発明の実施例７に係る電子黒板の正面図である。中央に描写面（表示部）１１がある。その下方に使用者が任意の操作を行うことができる操作パネル３１、使用者が必要とした場合、描写面１１の議事録内容を印刷することができる出力装置３２がある。
描写面１１の上部の両側に無線配信で使用するアンテナ１９があり、アンテナ１９はスライド部３３によりを左右に移動可能となっている。本実施例で、使用者は電子黒板１が配置されている環境に応じて、さらに、電波の送受信がスムーズに行える様に、アンテナ１９を自由に動かすことができるものである。
【実施例８】
【００２７】
実施例８では、図８においてスライド部３３をなくして、アンテナ１９の移動操作を操作パネル３１にて行う。
【実施例９】
【００２８】
図９は本発明の実施例９に係る電子黒板の機能ブロックとその処理の流れを示す図である。本電子黒板１は、使用者が自由に手書きできる描写面１１、描写面１１を読み取るＯＣＲ部１２、ＯＣＲ部１２で読み取られたデータより秘密鍵を生成するためのキーワードを抽出するキーワード抽出部１３、キーワード抽出部１３により抽出されたキーワードより、ハッシュ関数を用いて秘密鍵を生成する秘密鍵生成部１４を備える。
また同様に、メール配信対象者全員が登録されているメールアドレスデータベース１５、ＯＣＲ部１２から読み出された情報（議事録内容）を秘密鍵生成部１４で生成された秘密鍵にて暗号化する暗号化部１６、暗号化された議事録内容をメールにて配信できるようにする配信部(メール送信部)１７、配信部１７からのデータを変調し無線送信を行う無線変復調部１８、無線変復調部１８からの無線信号を送信するアンテナ１９、無線変復調部１８より算出される無線の品質情報をもとに電波状態を表示する電波状態表示部２４を備える。
本実施例は図２に示す実施例１において、無線変復調部１８にて算出される電波強度、受信品質情報を電波状態表示部２４にて使用者に伝達するものである。 
【実施例１０】
【００２９】
図１０は本発明の実施例１０に係る電子黒板の正面図である。中央に描写面（表示部）１１がある。その下方に使用者が任意の操作を行うことができる操作パネル３１、使用者が必要とした場合、描写面１１の議事録内容を印刷することができる出力装置３２がある。描写面１１の上部には会議名称を入力することができる液晶表示機能付きタブレット３４がある。
本実施例において、使用者は会議名称を描写面１１ではなくタブレット３４に入力する。無線にて配信する際の秘密鍵の生成はこのタブレット３４に入力された内容から生成する。これによりＯＣＲ部１２による読み取りミスで誤った秘密鍵を生成することがなくなり、確実かつ正確に暗号化を行うことができる。
【図面の簡単な説明】
【００３０】
【図１】本発明の電子黒板が使用される環境を示す図である。
【図２】本発明の実施例１に係る電子黒板の機能ブロックとその処理の流れを示す図である。
【図３】会議の議事録のフォーマットを示す図である。
【図４】本発明の実施例２に係る電子黒板の機能ブロックとその処理の流れを示す図である。
【図５】本発明の実施例３に係る電子黒板の機能ブロックとその処理の流れを示す図である。
【図６】本発明の実施例４に係る電子黒板の機能ブロックとその処理の流れを示す図である。
【図７】本発明の実施例５に係る電子黒板の機能ブロックとその処理の流れを示す図である。
【図８】本発明の実施例７に係る電子黒板の正面図である。
【図９】本発明の実施例９に係る電子黒板の機能ブロックとその処理の流れを示す図である。
【図１０】本発明の実施例１０に係る電子黒板の正面図である。
【符号の説明】
【００３１】
１  電子黒板、１１  描写面、１２  ＯＣＲ部、１３  キーワード抽出部、１４  秘密鍵生成部、１５  メールアドレスデータベース、１６  暗号化部、１７  配信部、１８  無線変復調部、１９アンテナ
【図１】
2007324995.tif 000003
【図２】
2007324995.tif 000004
【図３】
2007324995.tif 000005
【図４】
2007324995.tif 000006
【図５】
2007324995.tif 000007
【図６】
2007324995.tif 000008
【図７】
2007324995.tif 000009
【図８】
2007324995.tif 000010
【図９】
2007324995.tif 000011
【図１０】
2007324995.tif 000012